(57)【要約】【課題】放送信号が中間周波数帯域に周波数変換されてから復調されるまでの信号処理回路の構成が複雑化するのを抑制することが可能な映像受信装置を提供する。【解決手段】この映像受信装置２００は、単一の受信部１２により受信された放送信号を受信時の周波数帯域よりも大きい中間周波数帯域の放送信号に変換する周波数変換部１５により変換された中間周波数帯域の放送信号を複数のチャンネルａ〜チャンネルｎの各々に対応するように復調する複数のＯＦＤＭ復調回路２１ａ〜２１ｎと、周波数変換部１５により変換された中間周波数帯域の放送信号が複数のチャンネルａ〜チャンネルｎの各々に対応する複数のＯＦＤＭ復調回路２１ａ〜２１ｎの各々に振り分けられて復調されるように、複数のＯＦＤＭ復調回路２１ａ〜２１ｎの各々に対して放送信号を復調するためのキャリア周波数を供給する周波数シンセサイザ２３とを備える。【選択図】図２
2012256963.tif 000002
【特許請求の範囲】
【請求項１】
複数のチャンネルに対応する放送信号を受信する単一の受信部と、
前記単一の受信部により受信された前記放送信号を受信時の周波数帯域よりも大きい中間周波数帯域の放送信号に変換する周波数変換部と、
前記周波数変換部により変換された前記中間周波数帯域の放送信号を前記複数のチャンネルの各々に対応するように復調する複数の復調部と、
前記周波数変換部により変換された前記中間周波数帯域の放送信号が前記複数のチャンネルの各々に対応する前記複数の復調部の各々に振り分けられて復調されるように、前記複数の復調部の各々に対して放送信号を復調するためのキャリア周波数を供給するキャリア周波数供給部とを備える、映像受信装置。
【請求項２】
前記キャリア周波数供給部は、前記複数のチャンネルのうちの受信しようとする前記チャンネルの各々に対応する前記複数の復調部の各々に対してキャリア周波数を供給するように構成され、
前記複数の復調部の各々は、前記キャリア周波数供給部により供給された前記キャリア周波数に基づいて、受信しようとする前記複数のチャンネルに対応する放送信号を復調するように構成されている、請求項１に記載の映像受信装置。
【請求項３】
前記キャリア周波数供給部は、前記複数のチャンネルのうちの受信しようとする前記チャンネルの各々に対応する前記複数の復調部の各々に対して前記チャンネル毎に前記キャリア周波数の大きさを異ならせて供給するように構成され、
前記複数の復調部の各々は、前記キャリア周波数供給部から供給された前記キャリア周波数の大きさに基づいて、受信しようとする前記チャンネル毎に放送信号を復調するように構成されている、請求項２に記載の映像受信装置。
【請求項４】
前記複数のチャンネルの各々は、複数のセグメントを含み、
前記キャリア周波数供給部は、前記複数のチャンネルのうちの受信しようとする前記チャンネルのセグメントの各々に対応するように前記複数の復調部の各々に対して前記キャリア周波数の大きさを異ならせて供給するように構成され、
前記複数の復調部の各々は、前記キャリア周波数供給部から供給された前記キャリア周波数の大きさに基づいて、受信しようとする前記チャンネルのセグメント毎に放送信号を復調するように構成されている、請求項２に記載の映像受信装置。
【請求項５】
前記複数の復調部の各々に接続され、前記複数の復調部の各々において復調された復調信号から前記複数のチャンネルの各々に対応する画像信号、音声信号およびデータ信号を取得する複数のデコード回路部をさらに備える、請求項１〜４のいずれか１項に記載の映像受信装置。
【請求項６】
前記単一の受信部により受信される放送信号は、地上デジタル放送の直交周波数分割多重方式のデジタル信号を含み、
前記複数の復調部の各々は、前記直交周波数分割多重方式のデジタル信号の周波数直交性を利用して、前記キャリア周波数供給部から供給されるキャリア周波数に基づいて、前記直交周波数分割多重方式のデジタル信号を前記複数のチャンネルの各々に対応するように復調するように構成されている、請求項１〜５のいずれか１項に記載の映像受信装置。
【請求項７】
前記複数の復調部の各々は、前記周波数変換部により変換された前記中間周波数帯域の放送信号をアナログ処理により前記複数のチャンネルの各々に対応するように復調するように構成されている、請求項１〜６のいずれか１項に記載の映像受信装置。
【請求項８】
テレビジョン放送を表示可能な表示部と、
前記表示部に複数のチャンネルに対応するテレビジョン放送を表示するための映像受信装置とを備え、
前記映像受信装置は、複数のチャンネルに対応する放送信号を受信する単一の受信部と、
前記単一の受信部により受信された前記放送信号を受信時の周波数帯域よりも大きい中間周波数帯域の放送信号に変換する周波数変換部と、
前記周波数変換部により変換された前記中間周波数帯域の放送信号を前記複数のチャンネルの各々に対応するように復調する複数の復調部と、
前記周波数変換部により変換された前記中間周波数帯域の放送信号が前記複数のチャンネルの各々に対応する前記複数の復調部の各々に振り分けられて復調されるように、前記複数の復調部の各々に対して放送信号を復調するためのキャリア周波数を供給するキャリア周波数供給部とを含む、テレビジョン装置。
【発明の詳細な説明】
【技術分野】
【０００１】
この発明は、映像受信装置およびテレビジョン装置に関し、特に、放送信号を受信する受信部を備える映像受信装置およびテレビジョン装置に関する。
【背景技術】
【０００２】
従来、放送信号を受信する受信部を備える映像受信装置が知られている（たとえば、特許文献１参照）。
【０００３】
上記特許文献１には、地上デジタルテレビジョン放送の放送信号を受信する受信部と、受信された放送信号を中間周波数帯域の周波数に変換する周波数変換部と、中間周波数帯域の周波数に変換された信号をアナログ−デジタル変換（Ａ／Ｄ変換）するＡ／Ｄ変換部と、Ａ／Ｄ変換された信号をチャンネル毎の信号に分割するチャンネル分配部とを備えた受信装置（映像受信装置）が開示されている。また、チャンネル分配部は、Ａ／Ｄ変換された信号を直交復調するとともに係数を乗算した後にＦＦＴ（高速フーリエ変換）処理してチャンネル毎の信号に分割するＦＦＴ部と、チャンネル毎に分割された信号をチャンネル毎のベースバンド信号に周波数変換するミキサとを含んでいる。また、チャンネル分配部のミキサにより周波数変換されたベースバンド信号は、チャンネル毎に復調処理を行う復調部に出力されるように構成されている。
【先行技術文献】
【特許文献】
【０００４】
【特許文献１】特開２００８−２８３２９６号公報
【発明の概要】
【発明が解決しようとする課題】
【０００５】
しかしながら、上記特許文献１に記載の受信装置では、周波数変換部により周波数が変換された中間周波数帯域の放送信号は、Ａ／Ｄ変換部、ＦＦＴ部およびミキサなどの信号処理回路を順次経由した後に、復調部において復調されるため、放送信号が中間周波数帯域に周波数変換されてから復調されるまでの信号処理回路の構成が複雑化するという問題点がある。
【０００６】
この発明は、上記のような課題を解決するためになされたものであり、この発明の１つの目的は、放送信号が中間周波数帯域に周波数変換されてから復調されるまでの信号処理回路の構成が複雑化するのを抑制することが可能な映像受信装置およびテレビジョン装置を提供することである。
【課題を解決するための手段および発明の効果】
【０００７】
この発明の第１の局面による映像受信装置は、複数のチャンネルに対応する放送信号を受信する単一の受信部と、単一の受信部により受信された放送信号を受信時の周波数帯域よりも大きい中間周波数帯域の放送信号に変換する周波数変換部と、周波数変換部により変換された中間周波数帯域の放送信号を複数のチャンネルの各々に対応するように復調する複数の復調部と、周波数変換部により変換された中間周波数帯域の放送信号が複数のチャンネルの各々に対応する複数の復調部の各々に振り分けられて復調されるように、複数の復調部の各々に対して放送信号を復調するためのキャリア周波数を供給するキャリア周波数供給部とを備える。
【０００８】
この第１の局面による映像受信装置では、上記のように、周波数変換部により変換された中間周波数帯域の放送信号が複数のチャンネルの各々に対応する複数の復調部の各々に振り分けられて復調されるように、複数の復調部の各々に対して放送信号を復調するためのキャリア周波数を供給するキャリア周波数供給部を設けることによって、たとえば、周波数変換部により変換された中間周波数帯域の放送信号がＦＦＴ（高速フーリエ変換）部などの信号処理回路を介してチャンネル毎に分割された後に、復調部により復調される場合と異なり、中間周波数帯域の放送信号をキャリア周波数供給部により直接的に複数の復調部の各々に入力して復調させることができる。これにより、中間周波数帯域の放送信号をＦＦＴ部などの信号処理回路を用いてチャンネル毎に分割した後に復調するような場合と比較して、ＦＦＴ部などの信号処理回路を用いない分、放送信号が中間周波数帯域に周波数変換されてから復調されるまでの信号処理回路の構成が複雑化するのを抑制することができる。
【０００９】
上記第１の局面による映像受信装置において、好ましくは、キャリア周波数供給部は、複数のチャンネルのうちの受信しようとするチャンネルの各々に対応する複数の復調部の各々に対してキャリア周波数を供給するように構成され、複数の復調部の各々は、キャリア周波数供給部により供給されたキャリア周波数に基づいて、受信しようとする複数のチャンネルに対応する放送信号を復調するように構成されている。このように構成すれば、１つのキャリア周波数供給部を用いて、複数の復調部の各々により復調された個々のチャンネルに対応する信号を同時に取得することができる。
【００１０】
この場合、好ましくは、キャリア周波数供給部は、複数のチャンネルのうちの受信しようとするチャンネルの各々に対応する複数の復調部の各々に対してチャンネル毎にキャリア周波数の大きさを異ならせて供給するように構成され、複数の復調部の各々は、キャリア周波数供給部から供給されたキャリア周波数の大きさに基づいて、受信しようとするチャンネル毎に放送信号を復調するように構成されている。このように構成すれば、１つのキャリア周波数供給部から供給される複数の異なる大きさのキャリア周波数に基づいて個別に復調されたチャンネル毎の信号を同時に取得することができる。
【００１１】
上記キャリア周波数を供給するキャリア周波数供給部を備える構成において、好ましくは、複数のチャンネルの各々は、複数のセグメントを含み、キャリア周波数供給部は、複数のチャンネルのうちの受信しようとするチャンネルのセグメントの各々に対応するように複数の復調部の各々に対してキャリア周波数の大きさを異ならせて供給するように構成され、複数の復調部の各々は、キャリア周波数供給部から供給されたキャリア周波数の大きさに基づいて、受信しようとするチャンネルのセグメント毎に放送信号を復調するように構成されている。このように構成すれば、１つのキャリア周波数供給部から供給される複数の異なる大きさのキャリア周波数に基づいて復調されたチャンネル内のセグメント毎の信号を同時に取得することができる。
【００１２】
上記第１の局面による映像受信装置において、好ましくは、複数の復調部の各々に接続され、複数の復調部の各々において復調された復調信号から複数のチャンネルの各々に対応する画像信号、音声信号およびデータ信号を取得する複数のデコード回路部をさらに備える。このように構成すれば、複数のチャンネルの各々に対応する画像信号、音声信号およびデータ信号を同時に出力することができる。
【００１３】
上記第１の局面による映像受信装置において、好ましくは、単一の受信部により受信される放送信号は、地上デジタル放送の直交周波数分割多重方式のデジタル信号を含み、複数の復調部の各々は、直交周波数分割多重方式のデジタル信号の周波数直交性を利用して、キャリア周波数供給部から供給されるキャリア周波数に基づいて、直交周波数分割多重方式のデジタル信号を複数のチャンネルの各々に対応するように復調するように構成されている。このように構成すれば、デジタル放送特有の各チャンネルの周波数直交性を利用して、キャリア周波数供給部から供給されるキャリア周波数に基づいて、容易に複数の復調部の各々により復調されたデジタル信号を同時に取得することができる。
【００１４】
上記第１の局面による映像受信装置において、好ましくは、複数の復調部の各々は、周波数変換部により変換された中間周波数帯域の放送信号をアナログ処理により複数のチャンネルの各々に対応するように復調するように構成されている。このように構成すれば、複数の復調部の各々の回路構成をアナログ回路により容易に構成することができる。
【００１５】
この発明の第２の局面によるテレビジョン装置は、テレビジョン放送を表示可能な表示部と、表示部に複数のチャンネルに対応するテレビジョン放送を表示するための映像受信装置とを備え、映像受信装置は、複数のチャンネルに対応する放送信号を受信する単一の受信部と、単一の受信部により受信された放送信号を受信時の周波数帯域よりも大きい中間周波数帯域の放送信号に変換する周波数変換部と、周波数変換部により変換された中間周波数帯域の放送信号を複数のチャンネルの各々に対応するように復調する複数の復調部と、周波数変換部により変換された中間周波数帯域の放送信号が複数のチャンネルの各々に対応する複数の復調部の各々に振り分けられて復調されるように、複数の復調部の各々に対して放送信号を復調するためのキャリア周波数を供給するキャリア周波数供給部とを含む。
【００１６】
この第２の局面によるテレビジョン装置では、上記のように、周波数変換部により変換された中間周波数帯域の放送信号が複数のチャンネルの各々に対応する複数の復調部の各々に振り分けられて復調されるように、複数の復調部の各々に対して放送信号を復調するためのキャリア周波数を供給するキャリア周波数供給部を設けることによって、たとえば、周波数変換部により変換された中間周波数帯域の放送信号がＦＦＴ（高速フーリエ変換）部などの信号処理回路を介してチャンネル毎に分割された後に、復調部により復調される場合と異なり、中間周波数帯域の放送信号をキャリア周波数供給部により直接的に複数の復調部の各々に入力して復調させることができる。これにより、中間周波数帯域の放送信号をＦＦＴ部などの信号処理回路を用いてチャンネル毎に分割した後に復調するような場合と比較して、ＦＦＴ部などの信号処理回路を用いない分、中間周波数帯域の放送信号を復調する信号処理回路の構成が複雑化するのを抑制することができる。その結果、放送信号が中間周波数帯域に周波数変換されてから復調されるまでの信号処理回路の構成が複雑化するのが抑制された映像受信装置を備えるテレビジョン装置を容易に構成することができる。また、複数の復調部の各々において復調された複数のチャンネルに対応する復調信号をテレビジョン装置の表示部に同時に出力することができるので、視聴者がテレビジョン放送を視聴中にテレビジョン放送の選局を行った際の選局時の待ち時間がほとんどない瞬時選局機能や、複数のチャンネル（多チャンネル）の動画（映像）を同時に表示部に表示させる機能や、移動しながらテレビジョン放送を受信することが可能な移動体を使用して視聴者がテレビジョン放送を視聴している際に自動的に受信状態の良好なチャンネルに切り替わる機能などを備えるテレビジョン装置を容易に構成することができる。
【図面の簡単な説明】
【００１７】
【図１】本発明の一実施形態によるテレビジョン装置の全体図である。
【図２】本発明の一実施形態による映像受信装置の構成を示すブロック図である。
【図３】本発明の一実施形態によるＯＦＤＭ復調回路の構成を示すブロック図である。
【発明を実施するための形態】
【００１８】
以下、本発明を具体化した実施形態を図面に基づいて説明する。
【００１９】
図１〜図３を参照して、本発明の一実施形態によるテレビジョン装置１００の構成について説明する。
【００２０】
本発明の一実施形態によるテレビジョン装置１００は、図１に示すように、前側筐体１と、後側筐体２と、前側筐体１と後側筐体２との間に配置されるとともに、地上デジタルテレビジョン放送を表示可能な表示部３と、テレビジョン装置１００全体を支持する支持部材４と、支持部材４の下方に配置された台座部材５とを備えている。
【００２１】
また、テレビジョン装置１００は、地上デジタルテレビジョン放送システムにおいて、複数のチャンネル（チャンネルａ〜チャンネルｎ）に対応するテレビジョン放送のうちの視聴者が所望する（視聴する）数のテレビジョン放送を表示部３に同時に表示可能に構成されている。具体的には、表示部３には、複数のチャンネルａ〜チャンネルｎ（合計ｎチャンネル）のうちの６つのチャンネルに対応するテレビジョン放送（映像３ａ、３ｂ、３ｃ、３ｄ、３ｅおよび３ｆ）が同時に６画面表示されるように構成されている。この場合、映像３ａ〜３ｆは、６つに区分けされた表示部３の各々の表示領域に個別に表示されるように構成されている。
【００２２】
また、液晶テレビジョン１００には、複数のチャンネルａ〜チャンネルｎに対応するテレビジョン放送の放送信号を受信するとともに、表示部３にテレビジョン放送を表示するための映像受信装置２００が内蔵されている。
【００２３】
また、映像受信装置２００は、図２に示すように、複数のチャンネルａ〜チャンネルｎに対応する放送信号を受信した後に周波数変換を行う１つのフロントエンド部１０と、周波数変換された放送信号の復調を行うＩＦ（Ｉｎｔｅｒｍｅｄｉａｔｅ  Ｆｒｅｑｕｅｎｃｙ）部２０と、復調された放送信号の画像データや音声データを選択および合成して出力する画像音声選択・合成回路３０とを備えている。
【００２４】
フロントエンド部１０は、アンテナ１１を介して複数のチャンネルａ〜チャンネルｎの各々に対応する放送信号を受信する単一の受信部１２と、プリアンプ１３、局部発振器回路（ＬＯ：Ｌｏｃａｌ  Ｏｓｃｉｌｌａｔｏｒ）１４と、周波数変換部（ＭＩＸＥＲ）１５と、バンドパスフィルタ（ＢＰＦ）１６とを備えている。
【００２５】
また、受信部１２は、アンテナ１１を介して、地上デジタルテレビ放送用に予め割り当てられた複数のチャンネルａ〜チャンネルｎに対応する中間周波数帯域（約４７０ＭＨｚ以上約７７０ＭＨｚ以下）の放送信号を受信するように構成されている。なお、地上デジタルテレビ放送は、一般的にＵＨＦ帯の周波数が使用されており、放送する方式（変調方式）としては、直交周波数分割多重方式（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式）の放送信号（ＯＦＤＭ信号）が使用されている。
【００２６】
また、プリアンプ１３は、受信部１２により受信された中間周波数帯域の放送信号を所定の信号レベルに増幅して周波数変換部１５に出力するように構成されている。また、局部発振器回路１４は、周波数変換部１５に対して約１０００ＭＨｚの周波数の信号を出力するように構成されている。
【００２７】
また、周波数変換部１５は、プリアンプ１３および局部発振器回路１４から入力された２種類の信号を乗算するように構成されている。また、周波数変換部１５は、受信部１２により受信された放送信号を中間周波数帯域（約４７０ＭＨｚ以上約７７０ＭＨｚ以下）よりも大きい中間周波数帯域（約１４７０ＭＨｚ以上約１７７０ＭＨｚ以下）の放送信号に変換するように構成されている。そして、周波数変換部１５は、周波数変換後の中間周波数帯域の放送信号をバンドパスフィルタ１６に出力するように構成されている。
【００２８】
また、バンドパスフィルタ１６は、周波数変換部１５により周波数変換された放送信号のうちの所定の周波数帯域の信号のみを通過させてＩＦ部２０に出力するように構成されている。
【００２９】
また、ＩＦ部２０は、複数のチャンネルａ〜チャンネルｎの各々に対応する複数のＯＦＤＭ復調回路２１ａ、２１ｂ、２１ｃ・・・２１ｎと、複数のＯＦＤＭ復調回路２１ａ〜２１ｎの各々に接続された複数のデコード回路２２ａ、２２ｂ、２２ｃ・・・２２ｎと、周波数シンセサイザ２３とを備えている。なお、ＯＦＤＭ復調回路２１ａ〜２１ｎは、本発明の「復調部」の一例であり、デコード回路２２ａ〜２２ｎは、本発明の「デコード回路部」の一例であり、周波数シンセサイザ２３は、本発明の「キャリア周波数供給部」の一例である。
【００３０】
また、図３に示すように、ＩＦ部２０の複数のＯＦＤＭ復調回路２１ａ〜２１ｎの各々は、乗算回路２４と、ローパスフィルタ（ＬＰＦ）２５と、Ａ／Ｄ変換回路２６とを備えている。
【００３１】
ここで、本実施形態では、図２に示すように、バンドパスフィルタ１６を通過した中間周波数帯域の放送信号は、複数のＯＦＤＭ復調回路２１ａ〜２１ｎの各々（チャンネルａ〜チャンネルｎ）に対応するように振り分けて入力されるように構成されている。また、複数のＯＦＤＭ復調回路２１ａ〜２１ｎの各々は、複数のチャンネルａ〜チャンネルｎの各々に対応するように中間周波数帯域の放送信号を復調するように構成されている。具体的には、ＯＦＤＭ復調回路２１ａは、チャンネルａに対応するテレビジョン放送の放送信号を復調するように構成され、ＯＦＤＭ復調回路２１ｂは、チャンネルｂに対応するテレビジョン放送の放送信号を復調するように構成され、ＯＦＤＭ復調回路２１ｃは、チャンネルｃに対応するテレビジョン放送の放送信号を復調するように構成され、ＯＦＤＭ復調回路２１ｎは、チャンネルｎに対応するテレビジョン放送の放送信号を復調するように構成されている。
【００３２】
また、中間周波数帯域の放送信号の復調時には、周波数シンセサイザ２３は、放送信号を復調するためのキャリア周波数を、複数のＯＦＤＭ復調回路２１ａ〜２１ｎの各々に設けられた乗算回路２４（図３参照）に対して供給するように構成されている。具体的には、周波数シンセサイザ２３は、複数のチャンネルａ〜チャンネルｎのうちの受信しようとするチャンネルの各々に対応するＯＦＤＭ復調回路２１ａ〜２１ｎの乗算回路２４に対してチャンネル毎にキャリア周波数の大きさを異ならせてキャリア周波数を供給するように構成されている。また、複数のＯＦＤＭ復調回路２１ａ〜２１ｎの各々が有する乗算回路２４は、周波数シンセサイザ２３から供給されたキャリア周波数の大きさに基づいて、受信しようとするチャンネル毎に放送信号を復調するように構成されている。
【００３３】
また、本実施形態では、複数のＯＦＤＭ復調回路２１ａ〜２１ｎの各々は、直交周波数分割多重方式の放送信号（デジタル信号）の周波数直交性を利用して、周波数シンセサイザ２３から供給されるキャリア周波数の大きさに基づいて、複数のＯＦＤＭ復調回路２１ａ〜２１ｎの各々に入力された中間周波数帯域の放送信号をチャンネルａ〜チャンネルｎの各々に対応するように復調するように構成されている。
【００３４】
また、図３に示すように、複数のＯＦＤＭ復調回路２１ａ〜２１ｎの各々の乗算回路２４から出力された信号は、各々のＯＦＤＭ復調回路内においてローパスフィルタ（ＬＰＦ）２５に入力されるとともに、低周波数帯域の信号に変換された後に、Ａ／Ｄ変換回路２６に出力される。
【００３５】
また、Ａ／Ｄ変換回路２６に入力された信号は、アナログ信号からデジタル信号に変換された後に、デコード回路２２ａ（２２ｂ〜２２ｎ）に出力される。すなわち、本実施形態では、アンテナ１１を介して受信部１２により放送信号が受信されてから、複数のＯＦＤＭ復調回路２１ａ〜２１ｎの各々において復調されるまでの信号処理回路をアナログ回路（アナログ処理）を用いて構成している。
【００３６】
また、図２に示すように、複数のデコード回路２２ａ〜２２ｎの各々は、複数のＯＦＤＭ復調回路２１ａ〜２１ｎの各々において復調された復調信号から複数のチャンネルａ〜チャンネルｎの各々に対応する画像信号、音声信号およびデータ信号を取得するように構成されている。また、複数のデコード回路２２ａ〜２２ｎの各々においてデコード（復調）された画像信号、音声信号およびデータ信号は、画像音声選択・合成回路３０に出力されるように構成されている。
【００３７】
また、画像音声選択・合成回路３０は、画像信号、音声信号およびデータ信号を選択および合成した後に、合成信号を表示回路４０に出力するように構成されている。また、表示回路４０は、合成信号を所定の信号に変換して複数のチャンネルａ〜チャンネルｎのうちの６つのチャンネルに対応するテレビジョン放送の映像３ａ〜３ｆ（図１参照）を表示部３に出力（６画面表示）するように構成されている。また、テレビジョン装置１００では、複数のチャンネルａ〜チャンネルｎのうちの６つのチャンネルに対応するテレビジョン放送（映像３ａ〜３ｆ）に対応するデータが記録部（図示せず）に出力されることにより、６つのチャンネルに対応するテレビジョン放送が同時に録画されるように構成されている。
【００３８】
また、視聴者がテレビジョン放送を視聴している際に、表示部３に表示されている６つのチャンネル以外のチャンネルの選局操作が行われた場合には、表示部３に表示されている６つのテレビジョン放送のうちの１つのテレビジョン放送と、選局されたチャンネルに対応するテレビジョン放送とが瞬時に置き換えられて表示部３に表示されるように構成されている。
【００３９】
本実施形態では、上記のように、周波数変換部１５により変換された中間周波数帯域の放送信号が複数のチャンネルａ〜チャンネルｎの各々に対応する複数のＯＦＤＭ復調回路２１ａ〜２１ｎの各々に振り分けられて復調されるように、複数のＯＦＤＭ復調回路２１ａ〜２１ｎの各々に対して放送信号を復調するためのキャリア周波数を供給する周波数シンセサイザ２３を設けることによって、たとえば、周波数変換部により変換された中間周波数帯域の放送信号がＦＦＴ（高速フーリエ変換）部などの信号処理回路を介してチャンネル毎に分割された後に、ＯＦＤＭ復調回路２１ａ〜２１ｎにより復調される場合と異なり、中間周波数帯域の放送信号を周波数シンセサイザ２３により直接的に複数のＯＦＤＭ復調回路２１ａ〜２１ｎの各々に入力して復調させることができる。これにより、中間周波数帯域の放送信号をチャンネル毎に分割した後に復調するような場合と比較して、ＦＦＴ部などの信号処理回路を用いない分、放送信号が中間周波数帯域に周波数変換されてから復調されるまでの信号処理回路の構成が複雑化するのを抑制することができる。
【００４０】
また、本実施形態では、上記のように、複数のＯＦＤＭ復調回路２１ａ〜２１ｎの各々が、周波数シンセサイザ２３により供給されたキャリア周波数に基づいて、受信しようとする複数のチャンネルａ〜チャンネルｎに対応する放送信号を復調することによって、１つの周波数シンセサイザ２３を用いて、複数のＯＦＤＭ復調回路２１ａ〜２１ｎの各々により復調された個々のチャンネルａ〜チャンネルｎに対応する信号を同時に取得することができる。その結果、チャンネルａ〜チャンネルｎのうちの６つのチャンネルに対応するテレビジョン放送を表示部３に同時に表示することができる。
【００４１】
また、本実施形態では、上記のように、複数のＯＦＤＭ復調回路２１ａ〜２１ｎの各々が、周波数シンセサイザ２３から供給されたキャリア周波数の大きさに基づいて、受信しようとするチャンネル毎に放送信号を復調することによって、１つの周波数シンセサイザ２３から供給される複数の異なる大きさのキャリア周波数に基づいて個別に復調されたチャンネル毎の信号を同時に取得することができる。その結果、チャンネルａ〜チャンネルｎのうちの６つのチャンネルに対応するテレビジョン放送を表示部３に同時に表示することができる。
【００４２】
また、本実施形態では、上記のように、複数のＯＦＤＭ復調回路２１ａ〜２１ｎの各々において復調された復調信号から複数のチャンネルａ〜チャンネルｎの各々に対応する画像信号、音声信号およびデータ信号を取得する複数のデコード回路２２ａ〜２２ｎを設けることによって、複数のチャンネルａ〜チャンネルｎの各々に対応する画像信号、音声信号およびデータ信号を同時に出力することができる。
【００４３】
また、本実施形態では、上記のように、複数のＯＦＤＭ復調回路２１ａ〜２１ｎの各々が、直交周波数分割多重方式のデジタル信号の周波数直交性を利用して、周波数シンセサイザ２３から供給されるキャリア周波数に基づいて、直交周波数分割多重方式のデジタル信号を複数のチャンネルａ〜チャンネルｎの各々に対応するように復調することによって、デジタル放送特有の各チャンネルの周波数直交性を利用して、周波数シンセサイザ２３から供給されるキャリア周波数に基づいて、容易に複数のＯＦＤＭ復調回路２１ａ〜２１ｎの各々により復調されたデジタル信号を同時に取得することができる。
【００４４】
また、本実施形態では、上記のように、複数のＯＦＤＭ復調回路２１ａ〜２１ｎの各々が、周波数変換部１５により変換された中間周波数帯域の放送信号をアナログ処理により複数のチャンネルａ〜チャンネルｎの各々に対応するように復調することによって、ＯＦＤＭ復調回路２１ａ〜２１ｎの各々の回路構成をアナログ回路により容易に構成することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、本発明の映像受信装置をテレビジョン装置に適用する例を示したが、本発明はこれに限られない。たとえば、テレビジョン装置以外にＤＶＤレコーダや携帯機器（携帯電話機、携帯情報端末）、さらには、カーナビゲーションシステムなどにも適用可能である。また、本発明の映像受信装置を携帯機器や、カーナビゲーションシステムなどの移動体（移動しながらの使用が可能な電子機器）に適用した場合、視聴者が移動しながらテレビジョン放送を視聴している際に、表示部に表示されている６つのテレビジョン放送のうちの１つのテレビジョン放送の受信状態が悪くなった場合には、複数のチャンネルａ〜チャンネルｎのうちの受信状態が良好なチャンネルに対応するテレビジョン放送に自動的に切り替えて表示部に表示するように構成してもよい。
【００４７】
また、上記実施形態では、ＯＦＤＭ復調回路の一例として、乗算回路、ＬＰＦおよびＡ／Ｄ変換回路などのアナログ回路により構成する例を示したが、本発明はこれに限られない。たとえば、受信部により受信されたＯＦＤＭ信号を復調することが可能であれば、乗算回路、ＬＰＦおよびＡ／Ｄ変換回路以外のアナログ回路を単体もしくは組み合わせてＯＦＤＭ復調回路を構成してもよい。
【００４８】
また、上記実施形態では、周波数シンセサイザが複数のチャンネルａ〜チャンネルｎのうちの受信しようとするチャンネルの各々に対応する複数のＯＦＤＭ復調回路の各々に対してチャンネル毎にキャリア周波数の大きさを異ならせて供給するように構成する例を示したが、本発明はこれに限られない。たとえば、複数のＯＦＤＭ復調回路の各々を、周波数シンセサイザから供給されたキャリア周波数の大きさに基づいて、受信しようとする複数のチャンネルの各々に含まれる複数のセグメント毎に放送信号を復調するように構成してもよい。これにより、１つの周波数シンセサイザから供給される複数の異なる大きさのキャリア周波数に基づいて復調された複数のチャンネルの各々におけるセグメント毎の信号を同時に取得することが可能となるので、複数のチャンネルの各々におけるセグメント毎のテレビジョン放送を表示部に表示することが可能となる。
【００４９】
また、上記実施形態では、テレビジョン装置の表示部に６つの映像を同時に表示する例を示したが、本発明はこれに限られない。たとえば、視聴者がテレビジョン放送を視聴している際に、表示部に９つの映像を表示（９画面表示）させるように視聴者により操作が行われた場合には、複数のチャンネルａ〜チャンネルｎのうちの９つのチャンネルに対応するテレビジョン放送を同時に（瞬時に）表示部に表示させてもよい。本発明では、複数のＯＦＤＭ復調回路の各々により復調されるチャンネルａ〜チャンネルｎまでの数のテレビジョン放送を同時に表示部に表示させることが可能である。
【符号の説明】
【００５０】
３  表示部
１２  受信部
１５  周波数変換部
２１ａ、２１ｂ、２１ｃ、２１ｎ  ＯＦＤＭ復調回路（復調部）
２２ａ、２２ｂ、２２ｃ、２２ｎ  デコード回路（デコード回路部）
２３  周波数シンセサイザ（キャリア周波数供給部）
１００  テレビジョン装置
２００  映像受信装置
【図１】
2012256963.tif 000003
【図２】
2012256963.tif 000004
【図３】
2012256963.tif 000005